(57)【特許請求の範囲】
【請求項１】
画像データの値を変化させた複数のカラーパッチを有するカラーチャートを、第２の測色計により測定して、測色値と画像データ値との第２の対応関係を得るとともに、前記カラーチャートを第１の測色計により測定して測色値と画像データ値の第１の対応関係を得、
任意の色を前記第１の測色計により測定したとき、その測定値を前記第１の対応関係を用いて画像データ値に変換し、この変換された画像データ値を前記第２の対応関係を用いて前記第２の測色計の測色値に変換する
ことを特徴とする測色値変換方法。
【請求項２】
請求項１記載の測色値変換方法において、
前記第１の対応関係は、測色値ＸＹＺまたはＬ＊  ａ＊  ｂ＊  を画像データ値ＲＧＢに変換するルックアップテーブルであり、前記第２の対応関係は、画像データ値ＲＧＢを測色値ＸＹＺまたはＬ＊  ａ＊  ｂ＊  に変換するルックアップテーブルである
ことを特徴とする測色値変換方法。
【請求項３】
画像データの各色相の階調値が等しい条件でのグレーチャートを第１の測色計により測定して、測定反射率をＲλ１とし、
可視波長範囲で波長によらず反射率の一定なグレーパッチ数が１以上のグレーチャートの反射率を、前記可視波長範囲について所定波長間隔ｄλで、第２の測色計と前記第１の測色計で測定して、所定波長間隔での反射率を求め、前記第２の測色計の反射率に対する前記第１の測色計の反射率の比をＫλとし、定数をｋ、等色関数をｘλ、ｙλ、ｚλ、観察光源の分光値をＳλとするとき、積分範囲を前記可視波長範囲として、測色値ＸＹＺを、式
Ｘ＝ｋ∫（ｘλ・Ｋλ・Ｒλ１・Ｓλ）ｄλ
Ｙ＝ｋ∫（ｙλ・Ｋλ・Ｒλ１・Ｓλ）ｄλ
Ｚ＝ｋ∫（ｚλ・Ｋλ・Ｒλ１・Ｓλ）ｄλ
で求め、該測色値ＸＹＺまたは該測色値ＸＹＺをＣＩＥＬＡＢ空間の測色値Ｌ＊  ａ＊  ｂ＊  に変換した値を、前記第１の測色計の補正後の測色値とする
ことを特徴とする測色値変換方法。
【請求項４】
入力されるデバイス依存の画像データを、所望の印刷機の印刷条件に対応するように階調変換する階調変換手段を通じて露光記録部に供給し、該露光記録部から印刷プルーフ等のカラープリントを出力するカラー画像出力装置において、
前記画像データの値を変化させた複数のカラーパッチを有するカラーチャートを前記露光記録部から出力し、第２の測色計により予め測定することで作成された、測色値をデバイス依存の画像データ値に変換する色変換手段と、
前記カラーチャートを測定し、前記入力されるデバイス依存の画像データに対応する測色値との対応関係を得るための第１の測色計と、
前記第１の測色計による測色値が前記第２の測色計による測色値と一致するように、前記第１の測色計による測色値を前記第２の測色計による測色値に変換する測色値補正手段とを備え、
前記測色値補正手段の出力を前記色変換手段に供給し、該色変換手段の出力により前記階調変換手段の階調変換特性を補正する
ことを特徴とするカラー画像出力装置。
【請求項５】
請求項４記載のカラー画像出力装置において、
前記測色値補正手段の出力を前記色変換手段に供給し、該色変換手段の出力により前記階調変換手段の階調変換特性を補正するとき、
予め、前記露光記録部に供給される画像データの各色相が等しい条件でグレーバランスがとれるように目標階調の各測色値を設定し、
次に、前記階調変換手段の入力画像データの各色相が等しい条件で前記露光記録部からグレーチャートを出力し、
該出力したグレーチャートを前記第１の測色計により測色し、該測色値を前記測色値補正手段により補正した測定測色値を得、
次に、前記補正した前記測定測色値と前記目標階調の各測色値とを前記色変換手段に入力し、この色変換手段から出力される、前記目標階調の各測色値に対する各色相の画像データ値と前記測定測色値に対する各色相の画像データ値のそれぞれの差分を、前記各色相の階調変換手段の出力に加算することで、前記階調変換特性を補正する
ことを特徴とするカラー画像出力装置。
【請求項６】
請求項５記載のカラー画像出力装置において、
前記出力したグレーチャートを前記第１の測色計により測色し、該測色値を前記測色値補正手段により補正した測定測色値を得るとき、
前記測色値補正手段を、
可視波長範囲で波長によらず反射率の一定なグレーパッチ数が１以上のグレーチャートの反射率を、前記可視波長範囲について所定波長間隔ｄλで、基準の測色計と前記内蔵の測色計で測定して、所定波長間隔での反射率を求め、前記第２の測色計の反射率に対する前記第１の測色計の反射率の比をＫλとし、定数をｋ、等色関数をｘλ、ｙλ、ｚλ、観察光源の分光値をＳλとするとき、積分範囲を前記可視波長範囲として、測色値ＸＹＺを、式
Ｘ＝ｋ∫（ｘλ・Ｋλ・Ｒλ１・Ｓλ）ｄλ
Ｙ＝ｋ∫（ｙλ・Ｋλ・Ｒλ１・Ｓλ）ｄλ
Ｚ＝ｋ∫（ｚλ・Ｋλ・Ｒλ１・Ｓλ）ｄλ
で求め、該測色値ＸＹＺまたは該測色値ＸＹＺをＣＩＥＬＡＢ空間の測色値に変換した値を、前記第１の測色計の補正後の測色値とする補正手段として作成しておき、
前記出力したグレーチャートを前記第１の測色計により測色して、前記可視波長の範囲で所定波長間隔で反射率Ｒλ１を測定し、測定した反射率を前記式に入力して、前記補正した測定測色値を得る
ことを特徴とするカラー画像出力装置。
【請求項７】
入力されるデバイス依存の画像データを、所望の印刷機の印刷条件に対応するように階調変換する階調変換手段を通じて露光記録部に供給し、該露光記録部から印刷プルーフ等のカラープリントを出力し、該カラープリントを測色することの可能なカラー画像出力装置において、
前記画像データの値を変化させた複数のカラーパッチを有するカラーチャートを前記露光記録部から出力し、第２の測色計により予め測定することで作成された、測色値をデバイス依存の画像データ値に変換する色変換手段と、
第１の測色計の出力測色値を前記色変換手段の入力測色値に変換する測色値補正手段とを有し、
該測色値補正手段を作成する際に、
可視波長範囲で波長によらず反射率の一定なグレーパッチ数が１以上のグレーチャートの反射率を、前記可視波長範囲について所定波長間隔ｄλで、前記第２の測色計と前記第１の測色計で測定して、所定波長間隔での反射率を求め、前記第２の測色計の反射率に対する前記第１の測色計の反射率の比をＫλとし、定数をｋ、等色関数をｘλ、ｙλ、ｚλ、観察光源の分光値をＳλとするとき、積分範囲を前記可視波長範囲として、測色値ＸＹＺを、式
Ｘ＝ｋ∫（ｘλ・Ｋλ・Ｒλ１・Ｓλ）ｄλ
Ｙ＝ｋ∫（ｙλ・Ｋλ・Ｒλ１・Ｓλ）ｄλ
Ｚ＝ｋ∫（ｚλ・Ｋλ・Ｒλ１・Ｓλ）ｄλ
で求め、該測色値ＸＹＺまたは該測色値ＸＹＺをＣＩＥＬＡＢ空間の測色値Ｌ＊  ａ＊  ｂ＊  に変換した値を、前記第１の測色計の補正後の測色値とする
ことを特徴とするカラー画像出力装置。
【請求項８】
請求項４〜７のいずれか１項に記載のカラー画像出力装置において、
前記第１の測色計が、前記カラー画像出力装置に対して外部にオンラインで接続されていることを特徴とするカラー画像出力装置。
【請求項９】
請求項４〜７のいずれか１項に記載のカラー画像出力装置において、
前記第１の測色計が、前記カラー画像出力装置に内蔵されていることを特徴とするカラー画像出力装置。
【発明の詳細な説明】
【０００１】
【発明の属する技術分野】
この発明は、第１の測色計で測定した測色値を第２の測色計の測色値に変換する測色値変換方法に関する。
【０００２】
また、この発明は、例えば、入力ＲＧＢ（赤、緑、青）画像データに基づき、ＣＭＹ（シアン、マゼンタ、黄）の３色相で色を発色するカラー画像出力装置により出力した色が、所望の色で発色するように補正を行うために内蔵されている測色計の測色値あるいは外部にオンラインで接続される測色計の測色値を所望の測色値に補正することを可能とするカラー画像出力装置に関する。
【０００３】
【従来の技術】
例えば、ＣＭＹの３色の色材を所定の階調で発色させることによりカラー画像を形成するカラープリンタ等のカラー画像出力装置がある。図１０は、この種のカラー画像出力装置１の概略的な構成を示している。このカラー画像出力装置１では、３色相の入力画像データ（デバイス依存の画像データ）ＲＧＢが階調補正用の１次元ＬＵＴ（ルックアップテーブル）２、３、４を有するＬＵＴ５により階調変換された後、露光部６に供給される。
【０００４】
露光部６では、１次元ＬＵＴ２、３、４による階調補正後の３色相の出力画像データＲＧＢに応じてＲ色、Ｇ色およびＢ色に発光するレーザダイオードが駆動され、各レーザ光ＬがフイルムＦ上に当てられることでフイルムＦ上に潜像が形成され、潜像が形成されたフイルムＦに対して所定の現像処理を行うことにより顕像としてのＣＭＹ３色相からなる画像が形成されたフイルムＦを得ることができるようになっている。
【０００５】
このようなカラー画像出力装置１は、例えば、カラー印刷機のプルーファ（印刷用プルーファという。）として用いられる。印刷用プルーファとしてカラー画像出力装置を用いる理由は、輪転機等を利用するカラー印刷機により実際のカラー印刷物を作成する前に、校正のためのカラー画像が形成された校正刷り（カラー印刷プルーフという。）を作成するためであり、印刷用プルーファは、カラー印刷機で必要とされている刷版等の工程が不要であることから、短時間に複数回かつ容易にカラープリント（カラー画像が形成されたハードコピー）を作成することができるからである。
【０００６】
すなわち、これから使用しようとするカラー印刷機により作成されるカラー印刷物の色を、カラー画像出力装置１の校正刷りによりシミュレーションすることで実際の印刷の前工程で容易に確認することができるからである。
【０００７】
ところで、この種のカラー画像出力装置１においては、予め標準の印刷条件（インキ、紙、印刷機自体の条件）に対応して組み込まれている（メモリに格納されている）１次元ＬＵＴ２、３、４の階調補正特性（階調特性ともいう。）が、ユーザがこれから実際に使用しようとする印刷機の印刷条件（所望の印刷条件）と完全に一致することは皆無であり、そのため、所望の印刷条件に応じた印刷プルーフを作成しようとするとき、その所望の印刷条件に応じて１次元ＬＵＴ２、３、４の階調特性を補正（修正）する必要が生じる。
【０００８】
そこで、例えば、入力画像データＲＧＢに対して、所望の印刷条件に対応して、フイルムＦ上のＣＭＹ各色の目標階調（目標濃度階調）が、図１１に示すような目標階調（目標濃度階調）Ｄｃ０、Ｄｍ０、Ｄｙ０に設定された場合には、階調補正用ＬＵＴ５を構成する各１次元ＬＵＴ２、３、４により入力画像データＲＧＢがこれら目標階調Ｄｃ０、Ｄｍ０、Ｄｙ０に一致するように、予め標準の印刷条件に対応して組み込まれている標準の各１次元ＬＵＴ２、３、４の階調特性を補正（修正）する必要がある。
【０００９】
この場合、従来のカラー画像出力装置１における階調補正方法では、図１２のフローチャートに示すように、まず、入力画像データＲＧＢを構成する各画像データＲ、Ｇ、Ｂをそれぞれ所定階調ずつ増加させ、標準の（元からカラー画像出力装置１に組み込まれている）各１次元ＬＵＴ２、３、４を通じて露光部６に供給し、ＲＧＢ各色のレーザ光ＬによりフイルムＦ上にＣＭＹ各色の単色パッチを出力し（ステップＳ１）、各単色パッチの濃度Ｄｃ、Ｄｍ、Ｄｙを測定する（ステップＳ２）。
【００１０】
次に、測定した濃度Ｄｃ、Ｄｍ、Ｄｙと図１１に示した目標階調Ｄｃ０、Ｄｍ０、Ｄｙ０とを所定階調を有するパッチ毎に比較して、差分を出力し（ステップＳ３）、この差分が所望の差分以内の値であるかどうかを判断する（ステップＳ４）。
【００１１】
印刷条件を変えようとしているので、通常、このステップＳ４の判断は否定的となり、ステップＳ４で求めた差分に応じて試行錯誤的にＬＵＴ２、３、４の入力画像データＲＧＢの各ＲＧＢ値と出力画像データＲＧＢの各ＲＧＢ値の対応関係（変換関係）を修正することで、１次元ＬＵＴ２、３、４を補正するようにしている（ステップＳ５）。以下、対応関係（変換関係）とは、たとえば、入力画像データ値を出力画像データ値に変換する関係を表すとともに、出力画像データ値を入力画像データ値に逆変換する関係を表す。
【００１２】
そして、ステップＳ１乃至ステップＳ５までの処理をステップＳ４の判定が成立するまで繰り返すことで、測定した濃度Ｄｃ、Ｄｍ、Ｄｙと目標階調Ｄｃ０、Ｄｍ０、Ｄｙ０とが所望範囲内の値となる階調補正後の１次元ＬＵＴ２、３、４を得るようにしている。
【００１３】
ところが、上記した従来のカラー画像出力装置１における階調補正方法では、１次元ＬＵＴ２、３、４の入出力対応関係である階調特性の修正（補正）を試行錯誤的に行っているため、差分に応じて１次元ＬＵＴ２、３、４を補正したことに伴って、再度単色パッチをプリントアウトし、プリントアウトする毎に濃度測定を行う作業を何度も繰り返す必要があることから多大な時間を要し、しかも差分に基づく補正量を決定すること自体に高度の熟練を要するという問題があった。
【００１４】
この問題を解決するために、以下の手法が考えられる。なお、該手法は新しい手法であるので、後述するこの発明の実施の形態の項で一層詳細に説明することとし、ここでは簡単に説明する。
【００１５】
この手法では、まず、カラー画像出力装置１の出力画像データＲＧＢがＲ＝Ｇ＝Ｂの条件｛換言すれば、ＬＵＴ２、３、４が、それぞれいわゆるスルー（入力対出力の関係が１：１の関係）の状態｝でグレーバランスがとれるように目標階調（目標測色値とする。）を設定する。次に、出力画像データＲＧＢを均等に振ったカラーパッチを有するカラーチャートをカラー画像出力装置１から出力し、各カラーパッチを測色し、測色値をＲＧＢ値に変換するための３次元のカラーマッチング用ルックアップテーブル（以下、３次元ＣＭ−ＬＵＴともいう。）を作成する。次いで、１次元ＬＵＴ２、３、４を使用し、入力画像データＲＧＢについてＲ＝Ｇ＝Ｂの条件でカラー画像出力装置１でグレーチャートを作成して測色する（測定測色値とする。）。そして、測定測色値と前記目標測色値にそれぞれ対応するＲＧＢ値を前記３次元ＣＭ−ＬＵＴを参照して、体積補間計算により求め、求めたＲＧＢ値の各差分をＲＧＢ各１次元のＬＵＴ２、３、４に加算することでＲＧＢ各１次元のＬＵＴ２、３、４の修正が完了する。
【００１６】
この手法によれば、試行錯誤的ではなく機械的に１次元のＬＵＴ２、３、４の補正量（修正量）を求めることができるので、通常、１回の修正によりきわめて短時間に正確な補正を行うことができる。
【００１７】
ところが、この手法による場合、前記測定測色値を測定する測色計として、前記カラー画像出力装置１に内蔵されている測色計（補正対象の第１の測色計とする。）を用い、一方、前記３次元ＣＭ−ＬＵＴを作成するために別の測色計（基準となる測色計であり、第２の測色計とする。）を用いる場合がある。
【００１８】
３次元ＣＭ−ＬＵＴを作成する際には、膨大な量のパッチを測色する必要があることから、例えば、メーカーにおいて、２次元測定（面測定）の可能な比較的に大型で高価な測色計が使用され、一方、１次元ＬＵＴ２、３、４の修正用としては、カラー画像出力装置１に内蔵される比較的に小型でスポット的に測定（点測定）の可能な廉価な測色計が使用される場合があるからである。この場合には、補正対象の第１の測色計を内蔵するカラー画像出力装置１のメモリに、基準となる第２の測色計を利用して作成された３次元ＣＭ−ＬＵＴが格納されることになり、カラー画像出力装置１のユーザは、内蔵されている測色計を使用して１次元ＬＵＴ２、３、４を修正することになる。
【００１９】
しかしながら、一般に、同一のグレーチャートを測色しても測色値は測色計毎に異なる。そのため前記の３次元ＣＭ−ＬＵＴを使用して、１次元ＬＵＴ２、３、４の出力が目標のＲＧＢ値に変換されるように該１次元ＬＵＴ２、３、４が修正されているとしても、測色計間の測色値の誤差、いわゆる機種差による誤差が残り、結果として、色を完全に合わせることができず、上記新たな手法による場合でも、１回の修正後にＬＵＴ２、３、４の入出力の対応関係である階調特性を故意にずらすための微調による修正が必要であり、この微調による修正によりカラー画像出力装置１により出力した色が、所望の色で発色されるようにする必要がある。
【００２０】
【発明が解決しょうとする課題】
この発明はこのような課題を考慮してなされたものであり、カラー画像出力装置に内蔵されている測色計あるいは外部にオンラインで接続される測色計と、３次元ＣＭ−ＬＵＴを作成するために用いられる測色計とが異なる場合であっても、カラー画像出力装置の出力した色が所望の色で発色するように調整するための３色相の修正用の１次元ＬＵＴを微調による修正を行うことなく短時間に補正（修正）することを可能とする等のために第１の測色計で測定した測色値を第２の測色計の測色値に変換することを可能とする測色値変換方法を提供することを目的とする。
【００２１】
また、この発明は、例えば、入力ＲＧＢ（赤、緑、青）画像データに基づき、ＣＭＹ（シアン、マゼンタ、黄）の３色相で色を発色するカラー画像出力装置により出力した色が、所望の色で発色するように補正を行うために内蔵されている測色計の測色値あるいは外部にオンラインで接続される測色計の測色値を所望の測色値に補正することを可能とするカラー画像出力装置を提供することを目的とする。
【００２２】
【課題を解決するための手段】
この項では、理解の容易化のために添付図面中の符号を付けて説明する。したがって、この項に記載した内容がその符号を付けたものに限定して解釈されるものではない。
【００２３】
請求項１記載の発明に係る測色値変換方法は、画像データの値を変化させた複数のカラーパッチを有するカラーチャート（Ｇ′）を、第２の測色計（２２）により測定して、測色値と画像データ値との第２の対応関係（１２）を得るとともに、前記カラーチャート（Ｇ′）を第１の測色計（２１）により測定して測色値と画像データ値の第１の対応関係（２４）を得、
任意の色を前記第１の測色計により測定したとき、その測定値を前記第１の対応関係を用いて画像データ値に変換し、この変換された画像データ値を前記第２の対応関係を用いて前記第２の測色計の測色値に変換することを特徴とする。
【００２４】
この場合、前記第１の対応関係は、測色値ＸＹＺまたはＬ＊  ａ＊  ｂ＊  を画像データ値ＲＧＢに変換するルックアップテーブルであり、前記第２の対応関係は、画像データ値ＲＧＢを測色値ＸＹＺまたはＬ＊  ａ＊  ｂ＊  に変換するルックアップテーブルであることを特徴とする（請求項２記載の発明）。
【００２５】
請求項３記載の発明に係る測色値変換方法は、画像データの各色相の階調値が等しい条件でのグレーチャート（Ｇ″）を第１の測色計（２１）により測定して、測定反射率をＲλ１とし、
可視波長範囲で波長によらず反射率の一定なグレーパッチ数が１以上のグレーチャート（３０）の反射率を、前記可視波長範囲について所定波長間隔ｄλで、第２の測色計（２２）と前記第１の測色計で測定して、所定波長間隔での反射率を求め、前記第２の測色計の反射率に対する前記第１の測色計の反射率の比をＫλとし、定数をｋ、等色関数をｘλ、ｙλ、ｚλ、観察光源の分光値をＳλとするとき、積分範囲を前記可視波長範囲として、測色値ＸＹＺを、式
Ｘ＝ｋ∫（ｘλ・Ｋλ・Ｒλ１・Ｓλ）ｄλ
Ｙ＝ｋ∫（ｙλ・Ｋλ・Ｒλ１・Ｓλ）ｄλ
Ｚ＝ｋ∫（ｚλ・Ｋλ・Ｒλ１・Ｓλ）ｄλ
で求め、該測色値ＸＹＺまたは該測色値ＸＹＺをＣＩＥＬＡＢ空間の測色値Ｌ＊  ａ＊  ｂ＊  に変換した値を、前記第１の測色計の補正後の測色値とすることを特徴とする。
【００２６】
請求項４記載の発明に係るカラー画像出力装置は、入力されるデバイス依存の画像データを、所望の印刷機の印刷条件に対応するように階調変換する階調変換手段（２、３、４）を通じて露光記録部に供給し、該露光記録部から印刷プルーフ等のカラープリント（Ｇ）を出力するカラー画像出力装置において、
前記画像データの値を変化させた複数のカラーパッチを有するカラーチャート（Ｇ′）を前記露光記録部から出力し、第２の測色計（２２）により予め測定することで作成された、測色値をデバイス依存の画像データ値に変換する色変換手段（１２）と、
前記カラーチャート（Ｇ′）を測定し、前記入力されるデバイス依存の画像データに対応する測色値との対応関係を得るための第１の測色計（２１）と、
前記第１の測色計による測色値が前記第２の測色計による測色値と一致するように、前記第１の測色計による測色値を前記第２の測色計による測色値に変換する測色値補正手段（２４）とを備え、
前記測色値補正手段（２４）の出力を前記色変換手段（１２）に供給し、該色変換手段の出力により前記階調変換手段（２、３、４）の階調変換特性を補正することを特徴とする。
【００２７】
この場合、前記測色値補正手段（２４）の出力を前記色変換手段（１２）に供給し、該色変換手段の出力により前記階調変換手段（２、３、４）の階調変換特性を補正するとき、
予め、前記露光記録部に供給される画像データの各色相が等しい条件でグレーバランスがとれるように目標階調の各測色値（Ｌ＊  ０ａ＊  ０ｂ＊  ０）を設定し、次に、前記階調変換手段の入力画像データの各色相が等しい条件で前記露光記録部からグレーチャート（Ｇ″）を出力し、
該出力したグレーチャート（Ｇ″）を前記第１の測色計により測色し、該測色値を前記測色値補正手段（２４）により補正した測定測色値（Ｌ＊  ａ＊  ｂ＊  ）を得、  次に、前記補正した前記測定測色値（Ｌ＊  ａ＊  ｂ＊  ）と前記目標階調の各測色値（Ｌ＊  ０ａ＊  ０ｂ＊  ０）とを前記色変換手段（１２）に入力し、この色変換手段から出力される、前記目標階調の各測色値（Ｌ＊  ０ａ＊  ０ｂ＊  ０）に対する各色相の画像データ値（Ｒ０、Ｇ０、Ｂ０）と前記測定測色値（Ｌ＊  ａ＊  ｂ＊  ）に対する各色相の画像データ値（Ｒ１、Ｇ１、Ｂ１）のそれぞれの差分（ΔＲ、ΔＧ、ΔＢ）を、前記各色相の階調変換手段の出力に加算することで、前記階調変換特性を補正することを特徴とする（請求項５記載の発明）。
【００２８】
さらに、請求項５記載の発明において、前記出力したグレーチャート（Ｇ″）を前記第１の測色計により測色し、該測色値を前記測色値補正手段（２４）により補正した測定測色値（Ｌ＊  ａ＊  ｂ＊  ）を得るとき、
前記測色値補正手段（２４）を、
可視波長範囲で波長によらず反射率の一定なグレーパッチ数が１以上のグレーチャート（３０）の反射率を、前記可視波長範囲について所定波長間隔ｄλで、基準の測色計と前記内蔵の測色計で測定して、所定波長間隔での反射率を求め、前記第２の測色計の反射率に対する前記第１の測色計の反射率の比をＫλとし、定数をｋ、等色関数をｘλ、ｙλ、ｚλ、観察光源の分光値をＳλとするとき、積分範囲を前記可視波長範囲として、測色値ＸＹＺを、式
Ｘ＝ｋ∫（ｘλ・Ｋλ・Ｒλ１・Ｓλ）ｄλ
Ｙ＝ｋ∫（ｙλ・Ｋλ・Ｒλ１・Ｓλ）ｄλ
Ｚ＝ｋ∫（ｚλ・Ｋλ・Ｒλ１・Ｓλ）ｄλ
で求め、該測色値ＸＹＺまたは該測色値ＸＹＺをＣＩＥＬＡＢ空間の測色値Ｌ＊  ａ＊  ｂ＊  に変換した値を、前記第１の測色計の補正後の測色値とする補正手段として作成しておき、
前記出力したグレーチャート（Ｇ″）を前記第１の測色計により測色して、前記可視波長の範囲で所定波長間隔で反射率Ｒλ１を測定し、測定した反射率を前記式に入力して、前記補正した測定測色値（Ｌ＊  ａ＊  ｂ＊  ）を得ることを特徴とする（請求項６記載の発明）。
【００２９】
また、請求項７記載の発明に係るカラー画像出力装置は、入力されるデバイス依存の画像データを、所望の印刷機の印刷条件に対応するように階調変換する階調変換手段（２、３、４）を通じて露光記録部に供給し、該露光記録部から印刷プルーフ等のカラープリント（Ｇ）を出力し、該カラープリントを測色することの可能なカラー画像出力装置において、
前記画像データの値を変化させた複数のカラーパッチを有するカラーチャート（Ｇ′）を前記露光記録部から出力し、第２の測色計（２２）により予め測定することで作成された、測色値をデバイス依存の画像データ値に変換する色変換手段（１２）と、
第１の測色計の出力測色値を前記色変換手段の入力測色値に変換する測色値補正手段（２４）とを有し、
該測色値補正手段を作成する際に、
可視波長範囲で波長によらず反射率の一定なグレーパッチ数が１以上のグレーチャートの反射率を、前記可視波長範囲について所定波長間隔ｄλで、前記第２の測色計と前記第１の測色計で測定して、所定波長間隔での反射率を求め、前記第２の測色計の反射率に対する前記第１の測色計の反射率の比をＫλとし、定数をｋ、等色関数をｘλ、ｙλ、ｚλ、観察光源の分光値をＳλとするとき、積分範囲を前記可視波長範囲として、測色値ＸＹＺを、式
Ｘ＝ｋ∫（ｘλ・Ｋλ・Ｒλ１・Ｓλ）ｄλ
Ｙ＝ｋ∫（ｙλ・Ｋλ・Ｒλ１・Ｓλ）ｄλ
Ｚ＝ｋ∫（ｚλ・Ｋλ・Ｒλ１・Ｓλ）ｄλ
で求め、該測色値ＸＹＺまたは該測色値ＸＹＺをＣＩＥＬＡＢ空間の測色値Ｌ＊  ａ＊  ｂ＊  に変換した値を、前記第１の測色計の補正後の測色値とすることを特徴とする。
【００３０】
また、この発明は、請求項４〜７のいずれか１項に記載のカラー画像出力装置において、前記第１の測色計が前記カラー画像出力装置に対して外部にオンラインで接続されていることを特徴とする（第１の測色計２１Ａ：請求項８記載の発明）。
【００３１】
さらに、この発明は、請求項４〜７のいずれか１項に記載のカラー画像出力装置において、前記第１の測色計が前記カラー画像出力装置に内蔵されていることを特徴とする（第１の測色計２１：請求項９記載の発明）。
【００３２】
【発明の実施の形態】
以下、この発明の一実施の形態について図面を参照して説明する。なお、以下に参照する図面において、上記図１０乃至図１２に示したものと対応するものには同一の符号を付ける。
【００３３】
図１は、この発明方法が適用されたカラープリンタ等のカラー画像出力装置１０の模式的な構成を示している。このカラー画像出力装置１０は、それぞれＲ色、Ｇ色およびＢ色のレーザ光Ｌを出力する露光部６を有している。露光部６には、ロール状に巻かれた感光材料であるドナーフイルムＦから図示していない内部カッタにより所定長に裁断されたドナーフイルムＦが移送される。
【００３４】
露光部６からのレーザ光Ｌにより露光記録されて潜像が形成されたドナーフイルムＦに対して湿し水が塗布され、これにロール状の受像紙Ｇが所定長に裁断された受像紙Ｇが対向配置されて貼り合わされる。
【００３５】
貼り合わされたものが熱現像定着部において加熱ローラ８により加熱されることで現像が進行し、ドナーフイルムＦ上の色素が受像紙Ｇに移り定着され、画像の転写が完了する。この後、使用済みのドナーフイルムＦと受像紙Ｇとが剥離され、ＣＭＹの３色相からなる画像Ｉｍｇが形成された高画質なカラープリント（これも符号をＧとする）が完成する。
【００３６】
この場合、カラープリントＧ上の画像Ｉｍｇは、露光部６に階調補正手段としてのルックアップテーブル（ＬＵＴ）５から供給される３色相の画像データＲＧＢ（デバイス依存の画像データ）に対応したものである。そして、この露光部６の入力側に供給される画像データＲＧＢは、標準の印刷条件に基づき予め作成された各１次元の階調補正手段（１次元の変換テーブル）としてのＬＵＴであるＬＵＴ２、３、４により、３色相の入力画像データＲＧＢ（デバイス依存の画像データ）が変換されたデータである。
【００３７】
このように構成されるカラー画像出力装置１０では、上述したように、予めカラー画像出力装置１０のメモリに格納されているＬＵＴ２、３、４の印刷条件（標準の印刷条件）と異なる印刷条件（所望の印刷条件または目標印刷条件ともいう。）でプルーフ（校正刷り）を作成しようとする場合、その目標の印刷条件に適合するように、カラー画像出力装置１０に予め組み込まれている（メモリに格納されている）標準のＬＵＴ２、３、４の階調特性を補正（修正）する必要がある。
【００３８】
ＬＵＴ２、３、４の階調特性の補正量（修正量）を決定する等のために、カラープリントＧ上に形成された画像Ｉｍｇの測色値を測定するための測色計（以下、補正対象の第１の測色計ともいう。）２１が該カラー画像出力装置１０に一体的に内蔵されている。第１の測色計２１は、内蔵するのではなく、画像出力装置１０の外部にコネクタ２３を介してオンラインで第１の測色計２１Ａとして接続されるように構成してもよい（図２参照）。
【００３９】
なお、この実施の形態において、露光部６というときには、ドナーフイルムＦを露光してカラープリントＧを作成する部分までを含むこともある。このようにカラープリントＧを作成する部分までを含む場合には、露光記録部ともいう。
【００４０】
図２は、カラー画像出力装置１０に内蔵された補正対象の第１の測色計２１あるいは外部にオンラインで接続される第１の測色計２１Ａとカラー画像出力装置１０とはオフラインとされる基準となる測色計（以下、第２の測色計ともいう。）２２との測定差（機種差）を補正するための測色値補正テーブル（測色値補正手段、測色値変換テーブルまたは測色値変換手段という。）２４が搭載された（メモリに記憶された）この実施の形態のカラー画像出力装置１０のブロック図を示している。
【００４１】
このカラー画像出力装置１０には、第２の対応関係であり色変換手段として機能する３次元カラーマッチング用ＬＵＴ（３次元ＣＭ−ＬＵＴ）１２がメモリ内に搭載されている。
【００４２】
以下、３次元ＣＭ−ＬＵＴ１２の作成手順を説明した後、第１の対応関係であり測色値補正手段として機能する測色値補正テーブル２４の作成手順につき説明し、作成された３次元ＣＭ−ＬＵＴ１２と測色値補正テーブル２４を使用して１次元ＬＵＴ２、３、４を補正（修正）する手順について説明する。
【００４３】
まず、図３のフローチャートをも参照して３次元ＣＭ−ＬＵＴ１２の作成手順を説明する。
【００４４】
この場合、図４に示すように、これから実際に使用しようとするカラー印刷機に対応する目標の印刷条件に応じた目標階調（目標濃度階調）Ｄｔを決定する（ステップＳ１１）。ここで、目標階調Ｄｔは、出力画像データＲＧＢ（なお、以下の説明において、出力画像データＲＧＢというときには、ＬＵＴ２、３、４から出力される画像データを意味し、入力画像データＲＧＢというときには、１次元のＬＵＴ２、３、４に入力される画像データを意味する。）の各ＲＧＢ値（ＲＧＢ各色相の階調値）が等しい条件（Ｒ＝Ｇ＝Ｂ）で、カラー画像出力装置１０上でグレーバランスがとれるように設定し、例えば、ＣＩＥＬＡＢ空間上の測色値（目標測色値）Ｌ＊  ０ａ＊  ０ｂ＊  ０で表す。
【００４５】
なお、測色値と濃度値との対応関係は、例えば、濃度の異なる複数のパッチを測色計と濃度計とを用いて夫々測定することで求めることができる。そして、体積補間により任意の測色値Ｌ＊  ａ＊  ｂ＊  に対する濃度値を求めることができる。
【００４６】
目標階調Ｄｔは、実際には、例えば、これからプルーフを作成しようとするカラー印刷機の印刷物の網％値対濃度の関係を測定し、網％値を出力画像データＲＧＢ値に換算することで得ることができる。図４に示す目標階調Ｄｔにおいて、出力画像データＲＧＢの値がＲ＝Ｇ＝Ｂ＝０の近傍において濃度値が存在するのは、前記印刷物の紙色（印刷本紙の地色）によるものである。
【００４７】
次に、カラー画像出力装置１０の出力測色値から出力画像データＲＧＢの各ＲＧＢ値への対応関係を表す３次元ＣＭ−ＬＵＴ１２を作成するために、まず、１次元ＬＵＴ２、３、４がいわゆるスルー（入力対出力の関係が１：１の関係）の状態で、出力画像データＲＧＢのＲＧＢ各色相の値をそれぞれ均等に振ったカラーパッチを有するカラープリントＧであるカラーチャートＧ′（図２参照）を出力する（ステップＳ１２）。例えば、出力画像データＲＧＢのＲＧＢ各色相の階調値が０乃至２５５の値をとる８ビット階調である場合には、ＲＧＢ各色相毎に値を階調値幅３３  毎に均等に変化させた各９段階、合計９３  ＝７２９個のカラーパッチを有するカラーチャートＧ′を出力する。このとき、Ｒ＝Ｇ＝Ｂとなるグレー近傍では、分割数を倍にしたカラーパッチを有するカラーチャートを出力させる。人の視覚識別性の優れたグレー近傍では、補間格子を細かくして、出力測色値から出力画像データＲＧＢへの対応関係を表す３次元ＣＭ−ＬＵＴ１２の変換精度を上げるためである。
【００４８】
次に、出力したカラーチャートＧ′の各カラーパッチを基準となる第２の測色計２２により測色し（ステップＳ１３）、カラーパッチ毎に、出力画像データＲＧＢの各色相のＲＧＢ値対測色値Ｌ＊  ａ＊  ｂ＊  との変換関係を表す３次元ＣＭ−ＬＵＴ１２を作成する（ステップＳ１４）。
【００４９】
図５は、９３  個の組合せを繁雑となるので５３  個の組合せとして省略的に表した３次元ＣＭ−ＬＵＴ１２の測定格子点の構成を示している。小さい○印で表した測定格子点は、実際に基準となる第２の測色計２２により測色した測色値Ｌ＊  ａ＊  ｂ＊  を有する点に対応する。なお、上述したように、Ｒ＝Ｇ＝Ｂの近傍では、格子点（測色した点）を細かくして測定しているので、図５に示す３次元ＣＭ−ＬＵＴ１２を表す立方体において、ＲＧＢ座標の原点Ｏと該原点Ｏから最も離れた頂点Ｖを結ぶ線が含まれる各立方格子は、格子点が細かくなっている。例えば、画像データＲと画像データＢを用いて平面的に説明すれば、図６に模式的に示すように、画像データＢの増加に対応して、Ｒ＝Ｂの近傍で、細かく分割して測色値Ｌ＊  ａ＊  ｂ＊  を測定している。以上のようにして、基準となる第２の測色計２２による測色値対出力画像データＲＧＢの対応関係を表す３次元ＣＭ−ＬＵＴ１２を作成することができる。
【００５０】
次に、補正対象の第１の測色計２１、２１Ａの測色値を基準となる第２の測色計２２の測色値に合わせるための測色値補正テーブル２４の作成手順について説明する。
【００５１】
この場合、まず、図７に示すように、３８０ｎｍ乃至７８０ｎｍまでの可視波長範囲で、波長によらず反射率Ｒｆが一定で、ハイライト近傍からベタ近傍までの数個（この実施例では６個）のグレーパッチを有するグレーチャート３０を準備する（ステップＳ１５）。
【００５２】
次いで、補正対象の第１の測色計（例えば、分光反射型の測色計）２１、２１Ａと基準となる第２の測色計（同様に、分光反射型の測色計）２２により、グレーチャート３０を構成するグレーパッチの反射率を、前記可視波長範囲について所定波長間隔（ｄλとし、この実施の形態ではｄλ＝２０ｎｍとする。）で測定する（ステップＳ１６）。補正対象の第１の測色計２１、２１Ａにより測定した反射率をＲλ１′、基準となる第２の測色計２２により測定した反射率をＲλ２とすれば、図７に示すように、グレーパッチの個数分の反射率測定テーブル（可視波長範囲での補正対象の第１の測色計２１、２１Ａと基準となる第２の測色計２２の反射率の関係を表している。）３２が得られる。
【００５３】
次に、グレーパッチの個数分の反射率測定テーブル３２を参照して、所定波長間隔ｄλ毎の測定反射率の比（測色計補正値ともいう。）Ｋλ（Ｋλ＝Ｒλ２／Ｒλ１′）を表すテーブル（１次元の反射率比テーブルという。）３４を求める（ステップＳ１７）。この実施の形態においては、所定波長間隔ｄλをｄλ＝２０ｎｍにしているので、得られる反射率比テーブル３４の数は、２１個｛（７８０−３８０）／２０＋１＝２１｝になる。
【００５４】
次いで、色彩学に鑑みて、定数である基準化の係数をｋ、前記測色計補正値をＫλ、等色関数をｘλ、ｙλ、ｚλ、前記カラーチャートＧ′やグレーチャート３０等のプリントしたサンプルを観察するときの観察光源の分光値をＳλとするとき、測色値ＸＹＺを下記の（１）式により求める。なお、（１）式において、Ｒλ１（後述する）は、補正対象の第１の測色計２１、２１Ａにより後述する所定のグレーチャートを測定したときの反射率を示している。（１）式中の積分範囲は、３８０ｎｍ乃至７８０ｎｍである。
【００５５】
Ｘ＝ｋ∫（ｘλ・Ｋλ・Ｒλ１・Ｓλ）ｄλ
Ｙ＝ｋ∫（ｙλ・Ｋλ・Ｒλ１・Ｓλ）ｄλ
Ｚ＝ｋ∫（ｚλ・Ｋλ・Ｒλ１・Ｓλ）ｄλ              …（１）
これら測色値ＸＹＺは、それぞれ、色彩学上、数学的にＣＩＥＬＡＢ空間上の測色値Ｌ＊  ａ＊  ｂ＊  に一意に変換することができる。（１）式と測色値ＸＹＺの測色値Ｌ＊  ａ＊  ｂ＊  への対応関係により、図２に示すように、補正対象の第１の測色計２１、２１Ａの出力値である測定反射率Ｒλ１を基準となる第２の測色計２２上の測色値Ｌ＊  ａ＊  ｂ＊  に変換（換算、補正）することのできる測色値補正テーブル２４を作成することができる（ステップＳ１８）。
【００５６】
以上のようにして、補正対象の第１の測色計２１または第１の測色計２１Ａの測定値を基準となる第２の測色計２２の測定値に変換することのできる測色値補正テーブル２４が得られる（ステップＳ１８）。
【００５７】
次に、ステップＳ１４で作成された３次元ＣＭ−ＬＵＴ１２と、ステップＳ１８で作成された測色値補正テーブル２４を使用して１次元ＬＵＴ２、３、４を補正（修正）する手順について説明する。
【００５８】
この場合、まず、標準の印刷条件のもとでグレーバランスが合わされている補正（修正）前のＲＧＢ各色相の１次元のＬＵＴ２、３、４を使用して、入力画像データＲＧＢの各色相の値が等しい条件（Ｒ＝Ｇ＝Ｂ）で、ＲＧＢ値を同時に、例えば、１７段階に変化させたときのカラープリントＧであるグレーチャート｛Ｒ＝Ｇ＝Ｂ＝０のカラープリントＧの地色を含めてグレースケールが形成されたチャート｝Ｇ″（図２参照）をカラー画像出力装置１０から出力する（ステップＳ１９）。
【００５９】
次に、このグレーチャートＧ″を、各Ｒ＝Ｇ＝Ｂの組合せ毎に補正対象の第１の測色計２１、２１Ａにより波長３８０ｎｍ乃至７８０ｎｍの間、波長２０ｎｍ間隔で反射率Ｒλ１を測定し、測色値補正テーブル２４を利用してこれを基準となる第２の測色計２２の測色値に換算する。この測色値の換算（変換）過程をさらに具体的に説明すると、測定した反射率Ｒλ１を前記（１）式に代入して測色値ＸＹＺを得、この測色値ＸＹＺをＣＩＥＬＡＢ空間上の測色値（測定測色値という。）Ｌ＊  ａ＊  ｂ＊  に変換する（ステップＳ２０）。
【００６０】
次いで、図８に例を示すように、各Ｒ＝Ｇ＝Ｂの組合せ毎の測定測色値Ｌ＊  ａ＊  ｂ＊  とステップＳ１１で決定した目標階調の測色値Ｌ＊  ０ａ＊  ０ｂ＊  ０とを比較する（ステップＳ２１）。なお、図８において、符号Ｄｔで示す特性は、図４に示した目標階調（目標濃度階調）Ｄｔを再掲示したものである。
【００６１】
この目標階調の測色値Ｌ＊  ０ａ＊  ０ｂ＊  ０と測定測色値Ｌ＊  ａ＊  ｂ＊  との差分ΔＬ＊  Δａ＊  Δｂ＊  が所望の範囲内であるかどうかを比較して判定する（ステップＳ２２）。印刷条件が変化している場合には、第１回目のこの判定は成立しない。
【００６２】
そこで、ステップＳ１４で求めてある３次元ＣＭ−ＬＵＴ１２を使用して、目標階調の測色値Ｌ＊  ０ａ＊  ０ｂ＊  ０に対応する出力画像データの各ＲＧＢ値と、測定測色値Ｌ＊  ａ＊  ｂ＊  に対応する出力画像データの各ＲＧＢ値をそれぞれ求め（ステップＳ２３）、求めた各ＲＧＢ値の差分を求める（ステップＳ２４）。この場合、各ＲＧＢ値は、３次元ＣＭ−ＬＵＴ１２を参照し、目標階調の測色値Ｌ＊  ０ａ＊  ０ｂ＊  ０および測定測色値Ｌ＊  ａ＊  ｂ＊  をそれぞれ囲む補間格子（立方格子）を求め、この補間格子を構成する各格子点のＲＧＢ値を読み出し、図９に示すように、コンピュータ等からなる体積補間処理部１４による体積補間計算により目標階調の測色値Ｌ＊  ０ａ＊  ０ｂ＊  ０および測定測色値Ｌ＊  ａ＊  ｂ＊  にそれぞれ対応する３色相の各ＲＧＢ値を求めることができる。ここで、目標階調の測色値Ｌ＊  ０ａ＊  ０ｂ＊  ０に対応して求めたＲＧＢ値をＲ０Ｇ０Ｂ０とし、測定測色値Ｌ＊  ａ＊  ｂ＊  に対応して求めたＲＧＢ値をＲ１Ｇ１Ｂ１とするとき、各ＲＧＢ値の差分量は、図２に示す差生成部１５において、ΔＲ（＝Ｒ０−Ｒ１）、ΔＧ（＝Ｇ０−Ｇ１）、ΔＢ（＝Ｂ０−Ｂ１）で求めることができる。
【００６３】
次に、この差分量ΔＲΔＧΔＢに基づいて、ＬＵＴ２、３、４をそれぞれ修正（補正）する（ステップＳ２５）。この修正計算はきわめて簡単であり、前記差分量ΔＲΔＧΔＢを、それぞれ、現時点のＬＵＴ２、３、４の補正量にそれぞれ加算すればよい。具体的に、例えば、Ｒ値に基づいて説明すると、図２に示すように、入力画像データＲが、予め求めてある階調補正手段であるＬＵＴ２により、出力画像データＲ１に変換され、この出力画像データＲ１が目標階調の測色値Ｌ＊  ０ａ＊  ０ｂ＊  ０に対応した画像データＲ０に変換されることが好ましいため、修正量（修正値）として加算手段１６により差分ΔＲ（＝Ｒ０−Ｒ１）を加えただけの新たなＬＵＴ２′を図１に示すＬＵＴ２に置き換えるだけでよい。
【００６４】
このように一度の、しかも計算による修正処理により、１次元ＬＵＴ２、３、４を、１次元ＬＵＴ２、３、４の測色値を目標階調の測色値Ｌ＊  ０ａ＊  ０ｂ＊  ０に変換することができるＬＵＴ２′（ＬＵＴ２と加算手段１６）、ＬＵＴ３′（ＬＵＴ３と加算手段１７）およびＬＵＴ４′（ＬＵＴ４と加算手段１８）に補正することができるので、印刷条件の変化に対応したＬＵＴ２、３、４の正確な補正をきわめて短時間で行うことができる。
【００６５】
上述の実施の形態によれば、補正対象の第１の測色計２１、２１Ａと基準となる第２の測色計２２との間に測定差がある場合においても、補正対象の第１の測色計２１、２１Ａの測定値を基準となる第２の測色計２２の測定値に変換することのできる測色値補正テーブル２４をカラー画像出力装置１０に搭載しておくことにより、３次元ＣＭ−ＬＵＴ１２で使用する測色値を基準として色を管理することができるという効果が達成される。
【００６６】
なお、上述の実施の形態においては、測色値補正テーブル２４として、反射率Ｒλ１を測色値Ｌ＊  ａ＊  ｂ＊  に変換するテーブルを用いているが、これに限らず、補正対象の第１の測色計２１、２１Ａの測定値を直接的に基準となる第２の測色計２２の測定値に変換するテーブルを用いるようにしてもよい。この場合、上述のステップＳ１２で用いた出力画像データＲＧＢのＲＧＢ各色相の値をそれぞれ均等に変化させた組合せからなるカラーパッチを有するカラープリントＧであるカラーチャートＧ′を、基準となる第２の測色計２２により測定して、測色値Ｌ＊  ａ＊  ｂ＊  と出力画像データＲＧＢとの基準の対応関係（３次元のＣＭ−ＬＵＴ１２）を得るとともに、カラーチャートＧ′を補正対象の第１の測色計２１、２１Ａにより測定して測色値Ｌ＊  ａ＊  ｂ＊  と出力画像データＲＧＢとの補正対象の対応関係（３次元のＬＵＴ）を得る。
【００６７】
このようにすれば、任意の色を前記補正対象の第１の測色計２１、２１Ａにより測定したとき、その測色値Ｌ＊  ａ＊  ｂ＊  を、前記補正対象の対応関係（３次元のＬＵＴ）と体積補間処理を用いて対応する画像データＲＧＢを求め、この画像データＲＧＢを、前記基準の対応関係（３次元ＣＭ−ＬＵＴ１２）の入力値として、対応する測色値Ｌ＊  ａ＊  ｂ＊  を体積補間計算により求める。求められた該測色値Ｌ＊  ａ＊  ｂ＊  は、補正対象の第１の測色計２１、２１Ａにより測定された測色値Ｌ＊  ａ＊  ｂ＊  が、基準となる第２の測色計２２の測色値Ｌ＊  ａ＊  ｂ＊  に変換された値となる。
【００６８】
なお、この発明は、上述の実施の形態に限らず、この発明の要旨を逸脱することなく、種々の構成を採り得ることはもちろんである。
【００６９】
【発明の効果】
以上説明したように、この発明によれば、第１の測色計による測定値と第２の測色計による測定値との対応関係（同一のカラーチャートを第２の測色計と第１の測色計により測定し、カラーチャートの各色と各測色計の対応関係）を準備しているので、前記各測色計の対応関係を用いて、第１の測色計で測定した測色値を、第２の測色計の測色値に容易に（計算により機械的に）変換することができる。
【００７０】
また、この発明によれば、カラー画像出力装置に内蔵されている測色計あるいは外部にオンラインで接続されている測色計と３次元ＣＭ−ＬＵＴを作成するために用いられる測色計とが異なる場合であっても、測色計同士の測定差を補正するようにしているので、カラー画像出力装置の出力した色が所望の色で発色するように調整するための３色相の修正用の１次元ＬＵＴを、専門知識に基づく微調による修正を行うことなく短時間に補正（修正）することができる。
【００７１】
したがって、階調補正を行うためにカラー画像出力装置に内蔵されている測色計あるいは外部にオンラインで接続された測色計の出力する測定値と、色合わせを行うための３次元ＣＭ−ＬＵＴの測色値が一致するために、階調補正を行う３次元ＣＭ−ＬＵＴで定義された色と一致することとなり、安定した色再現性を得ることができる。
【００７２】
また、この発明によれば、予め、可視波長範囲で波長に依存しないで反射率の一定なグレーチャートを第１の測色計で測定するとともに、第２の測色計で測定し、可視波長範囲の所定波長間隔（ｄλ）毎に反射率の対応関係をＫλとして求めておく。次に、第１の測色計による任意の色の測定反射率をＲλ１とし、定数をｋ、等色関数をｘλ、ｙλ、ｚλ、観察光源の分光値をＳλとするとき、積分範囲を前記可視波長範囲として、測色値ＸＹＺを、式
Ｘ＝ｋ∫（ｘλ・Ｋλ・Ｒλ１・Ｓλ）ｄλ
Ｙ＝ｋ∫（ｙλ・Ｋλ・Ｒλ１・Ｓλ）ｄλ
Ｚ＝ｋ∫（ｚλ・Ｋλ・Ｒλ１・Ｓλ）ｄλ
で求め、該測色値ＸＹＺまたは該測色値ＸＹＺをＣＩＥＬＡＢ空間の測色値Ｌ＊  ａ＊  ｂ＊  に変換した値を、前記第１の測色計の補正後の測色値とするようにしている。このため、補正後の測色値が第２の測色計の測色値に一致する。
【００７３】
なお、カラー画像出力装置に内蔵された第１の測色計あるいは外部にオンラインで接続される第１の測色計の出力測色値を第２の測色計の出力値を基準として変換するためには、各測定波長毎にカラー画像出力装置に内蔵された第１の測色計あるいは外部にオンラインで接続される第１の測色計と第２の測色計の反射率の関係を求め、この関係を用いてカラー画像出力装置に内蔵された第１の測色計あるいは外部にオンライン接続される第１の測色計の反射率が第２の測色計の反射率となるように補正すればよい。反射率の関係を使用しない場合には、出力画像データを各色相毎に略均等に変化させた組合せからなるカラーパッチを有するカラーチャートをカラー画像出力装置に内蔵された第１の測色計あるいは外部にオンラインで接続された第１の測色計で測定するとともに基準となる測色計により測定し、出力画像データのカラー画像出力装置に内蔵された第１の測色計あるいは外部にオンラインで接続された第１の測色計での測色値と基準となる測色計での測色値との対応関係を予め得ておいてもよい。
【図面の簡単な説明】
【図１】この発明の一実施の形態が適用されたカラー画像出力装置の全体構成を模式的に示す構成図である。
【図２】１次元ＬＵＴの補正手順の説明に供されるカラー画像出力装置のブロック図である。
【図３】この発明の一実施の形態の説明に供されるフローチャートである。
【図４】目標階調を示す線図である。
【図５】測色値をＲＧＢ値に変更するための３次元ＣＭ−ＬＵＴの模式図である。
【図６】３次元ＣＭ−ＬＵＴのグレー近傍で分割格子間隔が細かくなっている例を示す説明図である。
【図７】第１の測色計（補正対象の測色計）と第２の測色計（基準の測色計）により測定した反射率の比を求めるために供される説明図である。
【図８】出力条件変化後の測定測色値と目標階調との差を説明する線図である。
【図９】３次元ＬＵＴの使用方法の説明に供される線図である。
【図１０】従来の技術の説明に供されるブロック図である。
【図１１】１次元ＬＵＴの従来技術に係る補正処理の説明に供される線図である。
【図１２】１次元ＬＵＴの従来技術に係る補正処理の説明に供されるフローチャートである。
【符号の説明】
１、１０…カラー画像出力装置    ２、３、４…階調補正用の１次元ＬＵＴ
６…露光部
１２…３次元ＣＭ−ＬＵＴ（第２の対応関係、色変換手段）
２１、２１Ａ…第１の測色計      ２２…第２の測色計
２４…測色値補正テーブル（第１の対応関係、測色値補正手段）
３０、Ｇ″…グレーチャート      ３２…反射率測定テーブル
３４…反射率比テーブル          Ｇ…カラープリント（受像紙）
Ｇ′…カラーチャート
【図１】
0003560493.tif 000002
【図２】
0003560493.tif 000003
【図３】
0003560493.tif 000004
【図４】
0003560493.tif 000005
【図５】
0003560493.tif 000006
【図６】
0003560493.tif 000007
【図７】
0003560493.tif 000008
【図８】
0003560493.tif 000009
【図９】
0003560493.tif 000010
【図１０】
0003560493.tif 000011
【図１１】
0003560493.tif 000012
【図１２】
0003560493.tif 000013